(57)【要約】【課題】飲料物を、確実に過冷却状態で保存し、確実に飲用時に凍結させることができる冷却装置を提供する。【解決手段】制御部１０は、飲料容器６内の飲料物の種類に応じて、温度切替室２の温度を制御して、飲料容器６内の飲料物を過冷却状態に保存する。したがって、飲料物を、その種類に関わらず、確実に過冷却状態で保存し、確実に飲用時に凍結させることができる。【選択図】図１
2008292108.tif 000002
【特許請求の範囲】
【請求項１】
飲料容器が保存される保存室を有する冷却装置本体と、
上記飲料容器内の飲料物の種類に応じて、上記保存室の温度を制御して、上記飲料容器内の上記飲料物を過冷却状態に保存する制御部と
を備えることを特徴とする冷却装置。
【請求項２】
請求項１に記載の冷却装置において、
上記制御部は、上記飲料物のアルコール濃度または糖濃度の少なくとも一方に基づいて、上記保存室の温度を制御することを特徴とする冷却装置。
【請求項３】
請求項２に記載の冷却装置において、
上記制御部は、上記飲料物のアルコール濃度が１％未満であるときに、上記飲料物の温度が−７．０〜−３．０℃となるように、上記保存室の温度を制御することを特徴とする冷却装置。
【請求項４】
請求項２または３に記載の冷却装置において、
上記制御部は、上記飲料物のアルコール濃度が１％以上であるときに、上記飲料物の温度が−１０．５〜−８．５℃となるように、上記保存室の温度を制御することを特徴とする冷却装置。
【請求項５】
請求項２または３に記載の冷却装置において、
上記制御部は、上記飲料物のアルコール濃度が１％以上１０％未満であるときに、上記飲料物の温度が−１０．０〜−６．０℃となるように、上記保存室の温度を制御することを特徴とする冷却装置。
【請求項６】
請求項２、３および５の何れか一つに記載の冷却装置において、
上記制御部は、上記飲料物のアルコール濃度が１０％以上であるときに、上記飲料物の温度が−１３．０〜−９．０℃となるように、上記保存室の温度を制御することを特徴とする冷却装置。
【発明の詳細な説明】
【技術分野】
【０００１】
この発明は、飲料容器内の飲料物を過冷却状態にて保存する冷却装置に関する。
【背景技術】
【０００２】
一般に、液体は凝固点にて液相から固相に相転移するが、凝固点を下回る温度であっても相転移を起こさず、液体のままの状態、すなわち過冷却状態を保持する場合がある。過冷却状態の液体は、エネルギー的に準安定状態にあるが、外部からの刺激などにより瞬時に固相に転移する。この特性を利用して、飲用時にグラスに注いだり、振動を与えたりすることで、飲料物を瞬時にシャーベット状に凍結させることのできる飲料過冷却用冷却装置が、例えば、特開平１０−９７３９号公報（特許文献１）や、特開２００３−２１４７５３号公報（特許文献２）に開示されている。
【０００３】
特開平１０−９７３９号公報（特許文献１）に開示された従来の過冷却用冷却装置は、飲料収納時に、初期温度や数量、取出し時間を入力し、それらの値をもとにあらかじめ記憶している温度制御パターンにて飲料物を冷却することにより、過冷却状態の飲料物を提供するものである。
【０００４】
また、特開２００３−２１４７５３号公報（特許文献２）に開示された従来の過冷却用冷却装置は、ダクトやファンの配置により、装置内の冷気の流れを略均等にし、飲料物をムラなく均一な温度分布になるように冷却することにより、過冷却状態の飲料物を提供するものである。
【０００５】
適当な冷却速度で温度分布が、均一になるように冷却すれば、液体を過冷却状態で保持することが可能であり、理論的には、凝固点０℃の水であっても、摂氏マイナス数十度で過冷却状態を維持できる。上記従来の過冷却用冷却装置でも、この装置内の温度制御や気流制御を行う構成を備え、飲料物を均一に冷却することのできる冷却装置として開示されている。
【０００６】
上述の通り、過冷却状態の液体は、エネルギー的に準安定状態にあるが、最安定状態である固相へのエネルギー障壁は、過冷却状態の液体温度と凝固点の差（過冷却度）が大きくなるにつれて低くなっていく。
【０００７】
すなわち、液体の過冷却度が大きいほど、より小さな刺激で過冷却を解除、凍結しやすい一方、過冷却度が小さいほど、振動や温度変動など多少の刺激を受けても過冷却状態を解除せず、瞬時の凍結も起こりにくくなる。
【０００８】
また、凝固点は飲料種類によって異なるため、同じ飲料温度でも、冷却装置から取り出した瞬間あるいは冷却中に飲料が凍結する場合や、振動などの刺激を与えても凍結しない場合がある。
【０００９】
つまり、冷却する飲料種類毎に過冷却保存に適した温度範囲が存在する。その上限温度は、その飲料物の凝固点であり、その下限温度は、ごくわずかの刺激で過冷却状態を解除する温度または冷却中に飲料が凍結しやすい温度であると考えられる。
【特許文献１】特開平１０−９７３９号公報
【特許文献２】特開２００３−２１４７５３号公報
【発明の開示】
【発明が解決しようとする課題】
【００１０】
しかしながら、上記従来の過冷却用冷却装置では、最適な保存温度範囲は示されておらず、条件によっては、装置内から取出した程度の刺激で過冷却状態を解除してしまう、あるいは冷却中に自然に過冷却状態を解除して凍結してしまう可能性があり、また、刺激を与えても凍結しない可能性もあり、使用性がよくないという課題があった。
【００１１】
そこで、この発明の課題は、飲料物を、確実に過冷却状態で保存し、確実に飲用時に凍結させることができる冷却装置を提供することにある。
【課題を解決するための手段】
【００１２】
上記課題を解決するため、この発明の冷却装置は、
飲料容器が保存される保存室を有する冷却装置本体と、
上記飲料容器内の飲料物の種類に応じて、上記保存室の温度を制御して、上記飲料容器内の上記飲料物を過冷却状態に保存する制御部と
を備えることを特徴としている。
【００１３】
この発明の冷却装置によれば、上記制御部は、上記飲料容器内の上記飲料物の種類に応じて、上記保存室の温度を制御して、上記飲料容器内の上記飲料物を過冷却状態に保存するので、上記飲料物を、その種類に関わらず、確実に過冷却状態で保存し、確実に飲用時に凍結させることができる。
【００１４】
また、一実施形態の冷却装置では、上記制御部は、上記飲料物のアルコール濃度または糖濃度の少なくとも一方に基づいて、上記保存室の温度を制御する。
【００１５】
この実施形態の冷却装置によれば、上記制御部は、上記飲料物のアルコール濃度または糖濃度の少なくとも一方に基づいて、上記保存室の温度を制御するので、上記飲料物を、過冷却状態とし、飲用時に凍結させる確実性をより高めることができる。
【００１６】
また、一実施形態の冷却装置では、上記制御部は、上記飲料物のアルコール濃度が１％未満であるときに、上記飲料物の温度が−７．０〜−３．０℃となるように、上記保存室の温度を制御する。
【００１７】
この実施形態の冷却装置によれば、上記制御部は、上記飲料物のアルコール濃度が１％未満であるときに、上記飲料物の温度が−７．０〜−３．０℃となるように、上記保存室の温度を制御するので、アルコールを全く含まないあるいはほとんど含まない飲料物を、より確実に過冷却状態で保存し、より確実に飲用時に凍結させることができる。
【００１８】
また、一実施形態の冷却装置では、上記制御部は、上記飲料物のアルコール濃度が１％以上であるときに、上記飲料物の温度が−１０．５〜−８．５℃となるように、上記保存室の温度を制御する。
【００１９】
この実施形態の冷却装置によれば、上記制御部は、上記飲料物のアルコール濃度が１％以上であるときに、上記飲料物の温度が−１０．５〜−８．５℃となるように、上記保存室の温度を制御するので、アルコール飲料を、そのアルコール度数によらず、より確実に過冷却状態で保存し、より確実に飲用時に凍結させることができる。
【００２０】
また、一実施形態の冷却装置では、上記制御部は、上記飲料物のアルコール濃度が１％以上１０％未満であるときに、上記飲料物の温度が−１０．０〜−６．０℃となるように、上記保存室の温度を制御する。
【００２１】
この実施形態の冷却装置によれば、上記制御部は、上記飲料物のアルコール濃度が１％以上１０％未満であるときに、上記飲料物の温度が−１０．０〜−６．０℃となるように、上記保存室の温度を制御するので、低アルコール飲料を、より確実に過冷却状態で保存し、より確実に飲用時に凍結させることができる。
【００２２】
また、一実施形態の冷却装置では、上記制御部は、上記飲料物のアルコール濃度が１０％以上であるときに、上記飲料物の温度が−１３．０〜−９．０℃となるように、上記保存室の温度を制御する。
【００２３】
この実施形態の冷却装置によれば、上記制御部は、上記飲料物のアルコール濃度が１０％以上であるときに、上記飲料物の温度が−１３．０〜−９．０℃となるように、上記保存室の温度を制御するので、アルコール度数の高い飲料物を、より確実に過冷却状態で保存し、より確実に飲用時に凍結させることができる。
【発明の効果】
【００２４】
この発明の冷却装置によれば、上記制御部は、上記飲料容器内の上記飲料物の種類に応じて、上記保存室の温度を制御して、上記飲料容器内の上記飲料物を過冷却状態に保存するので、上記飲料物を、その種類に関わらず、確実に過冷却状態で保存し、確実に飲用時に凍結させることができる。
【発明を実施するための最良の形態】
【００２５】
以下、この発明を図示の実施の形態により詳細に説明する。
【００２６】
図１は、この発明の冷却装置の一実施形態である扉閉状態の正面図を示している。図２は、冷却装置の扉開状態の正面図を示している。図１と図２に示すように、本発明の冷却装置は、冷凍冷蔵庫であり、冷却装置本体としての冷蔵庫本体１と、この冷蔵庫本体１の開口部に取り付けられる扉とを有する。
【００２７】
上記冷蔵庫本体１は、複数の飲料容器６が保存される保存室としての温度切替室２を有する。この温度切替室２には、温度切替室扉３が取り付けられている。
【００２８】
上記温度切替室扉３には、制御部１０が設けられ、この制御部１０は、上記飲料容器６内の飲料物の種類に応じて、上記温度切替室２の温度を制御して、上記飲料容器６内の上記飲料物を過冷却状態に保存する。
【００２９】
上記制御部１０は、操作ボタン４および操作モニター５を有し、この操作ボタン４および操作モニター５を操作することで、上記冷蔵庫本体１に設けられた（図示しない）冷却機構および加熱機構が制御され、上記温度切替室２の室温を、約−１８℃から約６０℃の間の数段階で切り替えられる。
【００３０】
飲料物の過冷却保存時の上記温度切替室２内の温度は、投入する飲料物の種類に応じて、ソフトドリンクモード、ワイン・カクテルモード、および、アルコールモードの３段階から選ぶことができる。
【００３１】
各モードで飲料温度は、それぞれ、順に、−７．０〜−３．０℃、−１０．０〜−６．０℃、および、−１３．０〜−９．０℃となるように、上記温度切替室２内の雰囲気温度は、それぞれ、−８．５〜−４．５℃、−１２．０〜−８．０℃、および、−１４．０〜−１０．０℃の範囲で、冷却機構および加熱機構によって、制御される。
【００３２】
つまり、上記制御部１０は、上記飲料物のアルコール濃度に基づいて、上記温度切替室２の温度を制御する。
【００３３】
そして、上記制御部１０は、上記飲料物のアルコール濃度が１％未満であるときに（ソフトドリンクモードであるときに）、上記飲料物の温度が−７．０〜−３．０℃となるように、上記温度切替室２の温度を制御する。
【００３４】
また、上記制御部１０は、上記飲料物のアルコール濃度が１％以上１０％未満であるときに（ワイン・カクテルモードであるときに）、上記飲料物の温度が−１０．０〜−６．０℃となるように、上記温度切替室２の温度を制御する。
【００３５】
また、上記制御部１０は、上記飲料物のアルコール濃度が１０％以上であるときに（アルコールモードであるときに）、上記飲料物の温度が−１３．０〜−９．０℃となるように、上記温度切替室２の温度を制御する。
【００３６】
なお、上記制御部１０は、上記飲料物のアルコール濃度が１％未満であるときに、上記飲料物の温度が−７．０〜−３．０℃となるように、上記温度切替室２の温度を制御する一方、上記飲料物のアルコール濃度が１％以上であるときに、上記飲料物の温度が−１０．５〜−８．５℃となるように、上記温度切替室２の温度を制御するようにしてもよい。
【００３７】
そして、上記飲料容器６の過冷却保存時には、飲料物のアルコール度数に応じて、上記温度切替室２内の温度を上記操作ボタン４と上記操作モニター５にて設定し、上記飲料容器６を投入する。すると、投入する飲料物の初期温度や庫内の温度、および、冷蔵庫の運転状況にもよるが、およそ３〜６時間以上保存しておけば、飲料物は、最適に過冷却状態を呈する。
【００３８】
なお、冷蔵庫の一冷却室の容積（例えば２０〜２５Ｌ）程度であれば、精密な温度分布や気流の制御を特別に行わなくても上述の温度範囲で推移したが、冷却速度や温度分布が均一になるよう精密に制御すれば、飲料物をより確実に最適に過冷却状態で保存できる。
【００３９】
ここで、適当な冷却速度で温度分布が均一になるように冷却すると、飲料物は、凝固点以下の温度でも凍結しない過冷却状態に至るが、この凝固点は、飲料物の種類によって異なる。
【００４０】
飲料物は、水に糖分や炭酸ガス、ミネラル分、アルコール、色素成分等が溶解した水溶液であり、このような水溶液は、凝固点が純粋な水の凝固点である０℃より下回る。これを、凝固点降下という。
【００４１】
溶媒１ｋｇに溶質１ｍｏｌを溶解したときの凝固点降下度、すなわちモル凝固点降下Ｋは、次式（１）で表される。
【００４２】
Ｋ ＝ ＲＴ２／１０００Ｈ                                        ・・・式（１）
ただし、
Ｒ ＝ 気体定数、Ｔ ＝ 溶媒の凝固点、Ｈ ＝ 溶媒１ｇあたりの凝固熱（融解熱）
である。
【００４３】
溶媒が水の場合、
Ｒ ＝ ８．３１（Ｊ／ｍｏｌ・Ｋ）、Ｔ ＝ ２７３（Ｋ）、Ｈ ＝ ３３４（Ｊ／ｇ）
であるから、式（１）より、
Ｋ ＝ １．８５（Ｋ・ｋｇ／ｍｏｌ）
となる。
【００４４】
このＫの値から、飲料物に含まれる成分のうち、特に濃度が高いと考えられるアルコール（エタノール）と砂糖（ショ糖）が水に溶解したときの理論的な凝固点を算出すると、表１のようになる。
表１．アルコール水溶液と砂糖水の凝固点降下
2008292108.tif 000003
※エタノール    Ｃ２Ｈ６Ｏ            ４６ｇ／ｍｏｌ
ショ糖        Ｃ１２Ｈ２２Ｏ１１    ３４２ｇ／ｍｏｌ
【００４５】
表１から、飲料物の凝固点降下度は、アルコール濃度が大きく影響するといえる。また、糖分についても、その濃度が高い場合は少なからず影響があるといえる。成分はよって、保存する飲料物を、より確実に過冷却状態で保存し、より確実に飲用時に凍結させるには、主にアルコール濃度によって温度帯を設定してやればよいと考えることができる。
【００４６】
そこで、アルコールを含まない飲料物（以下、ソフトドリンクとする）とアルコールを含む飲料物の保存状態について、それぞれ雰囲気温度を変化させて確認実験を行った。
【００４７】
図３は、ソフトドリンクについて、冷却実験時の平均飲料温度と、そのときの飲料物の状態を示すグラフである。本実験では、約５℃の未開封の市販飲料を、あらかじめ冷却した保存室内に投入し、投入から２４時間後の保存状態の確認と、振動を加えるまたは開封するなどしたときの凍結状態の確認を行った。なお、実験には代表的な５種別１９銘柄のＰＥＴボトル入り市販ソフトドリンクを使用した。また、平均飲料温度は、飲料物が十分略一定温度といえる冷却開始後１２時間〜２４時間の飲料物の温度を平均して求めた。
【００４８】
図３より、ソフトドリンクは飲料物の温度約０℃〜−１０℃の広範囲で最適に過冷却状態を維持できることが分かった（図中の●）。しかし、飲料温度が高い範囲では過冷却状態にならない飲料（図中の□）や、飲料温度の低い範囲では、自然に過冷却状態を解除して凍結してしまうあるいは過冷却状態に至ることなく凍結してしまう飲料（図中の☆）も多く、より精密な温度制御を行う必要がある。
【００４９】
そこで、図３で過冷却状態を最適に維持したときの飲料温度の平均値、−５．０℃をセンター値として、飲料温度の変動量を変化させて冷却実験を行い、飲料温度の変動量と過冷却維持率の関係を求めた。結果を図４に示す。なお、本実験でも代表的な未開封の５種別１９銘柄の市販飲料（初期温度約５℃）を、あらかじめ冷却した保存室内に投入し、投入から２４時間後の保存状態の確認と、衝撃を与えるまたは開封するなどしたときの凍結状態の確認を行った。
【００５０】
図４より、飲料物の温度の変動が±２．０℃までの範囲では、過冷却維持率１００％であるが、温度変動がさらに大きくなると、次第に過冷却維持率が低下している。よって、ソフトドリンクを最適に過冷却状態で維持するには、飲料物の温度が−７．０〜−３．０℃となるよう装置内温度（上記温度切替室２の温度）の制御を行えばよいといえる。
【００５１】
さらに、ソフトドリンクについては、図５に示すように、異なる温度で過冷却状態を維持させたＰＥＴボトルの飲料容器６に加速度センサー２０を取りつけたものを、それぞれ高さを変化させて自由落下させ、過冷却状態を解除する時の振動加速度を計測する実験を行い、過冷却時の飲料温度と過冷却解除に必要な力（振動加速度）の関係を求めた。これを図６に示す。
【００５２】
図６のプロットは、未開封の５種別の市販飲料を用いて求めた実験結果を示す。この実験結果と、過冷却度が大きくなるにつれて解除力が小さくなっていること、および凝固点の温度で過冷却解除力が∞である（すなわち瞬間凍結しない）ことから、過冷却時の飲料温度と過冷却解除に必要な力（振動加速度）は、図６のＡ〜Ｅのような曲線を描くと考えられる。なお、曲線Ａは、ミネラルウォーターの場合を示し、曲線Ｂは、緑茶飲料物の場合を示し、曲線Ｃは、コーヒー飲料物の場合を示し、曲線Ｄは、スポーツ飲料物の場合を示し、曲線Ｅは、炭酸飲料物の場合を示す。
【００５３】
一方、本発明の冷却装置としての冷蔵庫の使用に際して、飲料物の冷却保存時や取出し時など、使用者の意図しない状況で飲料物に衝撃が加わり、過冷却状態を解除してしまうことが考えられる。そこで、飲料物に衝撃が加わりうる状況と、その状況下で飲料物に加わる力（振動加速度）を測定した。この結果を表２に示す。
表２．飲料に加わりうる衝撃（振動加速度）の大きさ
2008292108.tif 000004
※ ここで、ドアとは、ヒンジ式ドアを示す。
【００５４】
表２より、通常の使用状況でも飲料物に約１０ｍ／ｓ２前後の振動加速度が加わりうることが分かる。よって、安全率を考慮すると、ソフトドリンクの場合、約１５ｍ／ｓ２前後でも過冷却状態を解除しないことが望ましいといえる。
【００５５】
ここで、図６より、過冷却解除力が約１５ｍ／ｓ２となるのは、飲料温度が約−７〜−８℃を下回るときであり、すなわち、飲料温度が約−７〜−８℃を下回らないようにする必要がある。
【００５６】
以上より、上述のように、ソフトドリンクを飲料温度−７．０〜−３．０℃となるよう装置内温度の制御を行えば、使用性の面からも飲料物を最適に過冷却状態で保存できるということになる。つまり、図６の斜線で示された範囲である。
【００５７】
図７は、アルコールについて、冷却実験時の平均飲料温度と、そのときの飲料物の状態を示すグラフである。本実験では、ソフトドリンクと同様、約５℃の未開封の市販飲料をあらかじめ冷却した保存室内に投入し、投入から２４時間後の保存状態の確認と、振動を加えるまたは開封するなどしたときの凍結状態の確認を行った。なお、実験には代表的な４種別８銘柄のガラスビン入り市販アルコール飲料を使用した。また、平均飲料温度は、飲料物が十分略一定温度といえる冷却開始後１２時間〜２４時間の飲料温度を平均して求めた。
【００５８】
図７より、ソフトドリンクと同様、アルコール飲料も飲料温度約−５℃以下の広範囲で最適に過冷却状態を維持できることが分かった（図中の●）が、特にアルコール飲料の場合、容器がガラスビンのものも多く、万一凍結した場合には容器を破損する可能性があるため、より精密に飲料温度を制御し、より高い確率で過冷却状態を維持する必要がある。
【００５９】
そこで、図７で過冷却状態を最適に維持したときの飲料温度の平均値、−９．５℃をセンター値として、飲料温度の変動量を変化させて冷却実験を行い、飲料温度の変動量と過冷却維持率の関係を求めた。この結果を図８に示す。なお、本実験でも、代表的な未開封の４種別８銘柄の市販飲料（初期温度約５℃）を、あらかじめ冷却した保存室内に投入し、投入から２４時間後の保存状態の確認と、衝撃を与えるまたは開封するなどしたときの凍結状態の確認を行った。
【００６０】
図８より、飲料温度の変動が±１．０℃までの範囲では過冷却維持率１００％であるが、温度変動さらに大きくなると、次第に過冷却維持率が低下している。よって、アルコール飲料を最適に過冷却状態で維持するには、飲料温度が−１０．５〜−８．５℃となるよう装置内温度（上記温度切替室２の温度）の制御を行えばよいといえる。
【００６１】
しかし、例えば、冷蔵庫で飲料物を過冷却保存する場合、霜取運転や扉の開閉の頻度、冷蔵庫が設置される場所の雰囲気温度、個体差による冷却能力の違いなど、庫内の温度変動をもたらす要因が多数あり、上記温度範囲を逸脱しないためには、非常に精密な運転制御が必要と考えられる。また、そのような運転制御を行うには、場合によっては冷却機構の運転率を高める必要があり、消費電力が大きくなる可能性も考えられる。
【００６２】
そこで、保存するアルコール飲料物のアルコール度数によって、保存する温度帯設定を２段階に切替えるようにしてもよい。
【００６３】
図７において、各飲料種別ごとの実験結果とそのアルコール濃度から、ワインやカクテルのようにアルコール度数がおよそ１０％までの場合（最適温度約−６℃〜−１１℃）と、日本酒や梅酒のようにアルコール度数がおよそ１０％を超える場合（最適温度約−９℃以下）で、最適な飲料温度範囲を大きく分けることができる。
【００６４】
そこで、上述と同様、図７で過冷却状態を最適に維持したときの飲料温度の平均値、−８．０℃（アルコール度数約１０％以下）または−１１．０℃（アルコール度数約１０％以上）をセンター値として、飲料温度の変動量を変化させて冷却実験を行い、飲料温度の変動量と過冷却維持率の関係を求めた。この結果を、図９と図１０に示す。
【００６５】
図９より、アルコール度数約１０％以下の場合、飲料温度の変動が約±２．０℃までの過冷却維持率１００％であるが、温度変動がさらに大きくなると、次第に過冷却維持率が低下している。よって、アルコール度数がおよそ１０％までの飲料物を最適に過冷却状態で維持するには、飲料温度が−１０．０〜−６．０℃となるよう装置内温度（上記温度切替室２の温度）の制御を行えばよいといえる。
【００６６】
また、図１０より、アルコール度数約１０％以上の場合、飲料温度の変動が約±２．０℃までの範囲では過冷却維持率１００％であるが、温度変動がさらに大きくなると、次第に過冷却維持率が低下している。よって、アルコール度数がおよそ１０％を超える飲料物を最適に過冷却状態で維持するには、飲料温度が−１３．０〜−９．０℃となるよう装置内温度（上記温度切替室２の温度）の制御を行えばよいといえる。
【００６７】
以上より、保存する飲料物をより確実に過冷却状態とし、飲用時により確実に瞬時に凍結させるには、飲料温度が−７．０〜−３．０℃、および、−１０．５〜−８．５℃の２段階で、または、−７．０〜−３．０℃、−１０．０〜−６．０℃、および、−１３．０〜−９．０℃の３段階で装置の冷却制御を行うことが好ましいといえる。
【００６８】
上記構成の冷却装置としての冷蔵庫によれば、上記制御部１０は、上記飲料容器６内の上記飲料物の種類に応じて、上記温度切替室２の温度を制御して、上記飲料容器６内の上記飲料物を過冷却状態に保存するので、上記飲料物を、その種類に関わらず、確実に過冷却状態で保存し、確実に飲用時に凍結させることができる。
【００６９】
また、上記制御部１０は、上記飲料物のアルコール濃度に基づいて、上記温度切替室２の温度を制御するので、上記飲料物を、過冷却状態とし、飲用時に凍結させる確実性をより高めることができる。
【００７０】
また、上記制御部１０は、上記飲料物のアルコール濃度が１％未満であるときに、上記飲料物の温度が−７．０〜−３．０℃となるように、上記温度切替室２の温度を制御するので、アルコールを全く含まないあるいはほとんど含まない飲料物を、より確実に過冷却状態で保存し、より確実に飲用時に凍結させることができる。
【００７１】
また、上記制御部１０は、上記飲料物のアルコール濃度が１％以上であるときに、上記飲料物の温度が−１０．５〜−８．５℃となるように、上記温度切替室２の温度を制御するので、アルコール飲料を、そのアルコール度数によらず、より確実に過冷却状態で保存し、より確実に飲用時に凍結させることができる。
【００７２】
また、上記制御部１０は、上記飲料物のアルコール濃度が１％以上１０％未満であるときに、上記飲料物の温度が−１０．０〜−６．０℃となるように、上記温度切替室２の温度を制御するので、低アルコール飲料を、より確実に過冷却状態で保存し、より確実に飲用時に凍結させることができる。
【００７３】
また、上記制御部１０は、上記飲料物のアルコール濃度が１０％以上であるときに、上記飲料物の温度が−１３．０〜−９．０℃となるように、上記温度切替室２の温度を制御するので、アルコール度数の高い飲料物を、より確実に過冷却状態で保存し、より確実に飲用時に凍結させることができる。
【００７４】
なお、この発明は上述の実施形態に限定されない。例えば、本発明の冷却装置として、冷蔵庫以外に、クーラーボックスや、過冷却専用の装置であってもよい。また、制御部は、上記飲料物のアルコール濃度または糖濃度の少なくとも一方に基づいて、上記温度切替室の温度を制御するようにしてもよい。
【図面の簡単な説明】
【００７５】
【図１】本発明の冷却装置としての冷蔵庫の構成を示すと共に、温度切替室の扉を閉めた状態を示す正面図である。
【図２】本発明の冷却装置としての冷蔵庫の構成を示すと共に、温度切替室の扉を開いた状態を示す正面図である。
【図３】ソフトドリンクについての過冷却保存実験結果であり、飲料温度と保存状態の関係を示すグラフである。
【図４】ソフトドリンクについての過冷却保存実験結果であり、飲料温度の変動範囲と過冷却維持率の関係を示すグラフである。
【図５】ソフトドリンクの過冷却状態解除に必要な力（振動加速度）を測定するための実験概要を示す説明図である。
【図６】ソフトドリンクについての実験結果であり、過冷却状態の飲料温度とその飲料物の過冷却状態解除に必要な振動加速度との関係を示すグラフである。
【図７】アルコール飲料についての過冷却保存実験結果であり、飲料温度と保存状態の関係を示すグラフである。
【図８】アルコール度数がおよそ１０％までのアルコール飲料についての過冷却保存実験結果であり、飲料温度の変動範囲と過冷却維持率の関係を示すグラフである。
【図９】アルコール度数がおよそ１０％を超えるアルコール飲料についての過冷却保存実験結果であり、飲料温度の変動範囲と過冷却維持率の関係を示すグラフである。
【図１０】アルコール飲料についての過冷却保存実験結果であり、飲料温度の変動範囲と過冷却維持率の関係を示すグラフである。
【符号の説明】
【００７６】
１  冷蔵庫本体（冷却装置本体）
２  温度切替室（保存室）
３  温度切替室扉
４  操作ボタン
５  操作モニター
６  飲料容器
１０  制御部
２０  加速度センサー
【図１】
2008292108.tif 000005
【図２】
2008292108.tif 000006
【図３】
2008292108.tif 000007
【図４】
2008292108.tif 000008
【図５】
2008292108.tif 000009
【図６】
2008292108.tif 000010
【図７】
2008292108.tif 000011
【図８】
2008292108.tif 000012
【図９】
2008292108.tif 000013
【図１０】
2008292108.tif 000014